(57)【要約】【課題】建築物の外壁に窓等を形成する施工に好適に用いることができる開口部用埋設部材、それを用いた開口部構造の施工方法、及び開口部構造を提供する。【解決手段】本発明は、下地層１を備える型枠パネル３を用いて矩形状の開口部５０を形成するための開口部用埋設部材４であって、少なくとも開口部５０を形成する各辺から離反する方向へ延在する沿設部４２と、沿設部４２から直交状に延在する面部４３と、面部４３の裏面側に形成されてコンクリート９に埋設される埋設部４３１，４３２を備えることを特徴とする。【選択図】図１
2018123597.tif 000002
【特許請求の範囲】
【請求項１】
下地層を備える型枠パネルを用いて矩形状の開口部を形成するための開口部用埋設部材であって、
少なくとも開口部を形成する各辺から離反する方向へ延在する沿設部と、該沿設部から直交状に延在する面部と、該面部の裏面側に形成されてコンクリートに埋設される埋設部を備えることを特徴とする開口部用埋設部材。
【請求項２】
開口部から壁体の厚み方向に延在する規制部を備えることを特徴とする請求項１に記載の開口部用埋設部材。
【請求項３】
コンクリートを打設する工程に先立って、
開口部を形成する各辺にそれぞれ請求項１又は２に記載の開口部用埋設部材を配設する工程と、該開口部用埋設部材に開口部用型枠を取り付ける工程とを、行うことを特徴とする開口部構造の施工方法。
【請求項４】
下地層を備える型枠パネルを用いた開口部構造であって、矩形状の開口部を形成する各辺にそれぞれ請求項１又は２に記載の開口部用埋設部材を配設すると共に該開口部用埋設部材に開口部用型枠を取り付けてなることを特徴とする開口部構造。
【発明の詳細な説明】
【技術分野】
【０００１】
本発明は、建築物の外壁に窓等を形成する施工に好適に用いることができる開口部用埋設部材、それを用いた開口部構造の施工方法、及び開口部構造に関する。
【背景技術】
【０００２】
従来、建築物の外壁の断熱性を向上するために、外装材の内側に断熱材を配設した断熱層を形成したコンクリート構造は広く知られているが、該構造を施工するために、断熱材をコンクリート打設用の型枠として用いる工法は、例えば特許文献１や特許文献２等にも提案されている。
尤も、前記特許文献１には、コンクリートの打設後に外装材（外壁用の化粧板）を取り付けることがその明細書（段落００１５等）に記載されているので、コンクリートの打設後にそのまま外壁として用いることができるという利点を有するものではない。
また、特許文献２には、断熱材（断熱ボード１１）と外装下地材（外装下地材１２）とを積層して型枠兼用断熱パネルとして用いることが記載されている。
【先行技術文献】
【特許文献】
【０００３】
【特許文献１】特開２０１０−１５０８７１号公報
【特許文献２】特許第４９３１４６３号公報
【発明の開示】
【発明が解決しようとする課題】
【０００４】
しかしながら、外壁に窓等を形成する目的で開口部を形成するに際し、前記特許文献１のような仕様では、コンクリートの打設、硬化後に断熱材を切り欠き（切除）、外装仕上げ、開口部仕上げを行うものであるが、断熱材の切除は、外側から行われるためきわめて手間の掛かり、また、仕上げに手間の掛かるものであった。
また、前記特許文献２のような仕様では、外装下地材が断熱材と一体に設けられているため、作業はより難しくなるものであった。
さらに、開口部を開けた後に窓等を取り付けるためのフレーム等をコンクリートに打ち込むという作業を必要とするため、非常に手間の掛かるものであった。
【０００５】
そこで、本発明は、建築物の外壁に窓等を形成する施工に好適に用いることができる開口部用埋設部材、それを用いた開口部構造の施工方法、及び開口部構造を提案することを目的とする。
【課題を解決するための手段】
【０００６】
本発明は、上記に鑑み提案されたもので、下地層を備える型枠パネルを用いて矩形状の開口部を形成するための開口部用埋設部材であって、少なくとも開口部を形成する各辺から離反する方向へ延在する沿設部と、該沿設部から直交状に延在する面部と、該面部の裏面側に形成されてコンクリートに埋設される埋設部を備えることを特徴とする開口部用埋設部材（以下、単に埋設部材という）に関するものである。
さらに、本発明は、前記埋設部材において、開口部から壁体の厚み方向に延在する規制部を備えることを特徴とする開口部用埋設部材をも提案する。
【０００７】
また、本発明は、コンクリートを打設する工程に先立って、開口部を形成する各辺にそれぞれ前記埋設部材を配設する工程を行うことを特徴とする開口部構造の施工方法をも提案するものである。
【０００８】
さらに、本発明は、下地層を備える型枠パネルを用いた開口部構造であって、矩形状の開口部を形成する各辺にそれぞれ前記埋設部材を配設すると共に該開口部用埋設部材に開口部用型枠を取り付けてなるものである。
【発明の効果】
【０００９】
本発明の埋設部材は、沿設部を開口部の各辺に沿わせるように配設できるものであり、更にその配設後に沿設部及び面部に対して嵌合状に容易に開口部用型枠を配設することができる。
さらに、開口部から壁体の厚み方向に延在する規制部を備える場合には、規制部及び沿設部を開口部を形成する各辺に係止状に配設できる。
【００１０】
また、前記埋設部材を用いる本発明の開口部構造の施工方法は、コンクリートを打設する工程に先立って、開口部を形成する各辺にそれぞれ前記埋設部材を配設する工程、その後に開口部用型枠を配設する工程を行うものであり、容易にコンクリートの打設を行うことができる。
【００１１】
さらに、前記埋設部材を用いる本発明の開口部構造は、前述のように開口部を形成する各辺にそれぞれ埋設部材を係止状に配設すると共に該埋設部材に開口部用型枠を取り付けたので、容易にコンクリートの打設を行うことができる。
【図面の簡単な説明】
【００１２】
【図１】（ａ）本発明の第１実施例の埋設部材を示す斜視図、（ｂ）面部の裏面に充填材を配した状態を示す斜視図、（ｃ）埋設部材の正面図及び側面図、（ｄ）埋設部材に保持される開口部用型枠の一例を示す断面図、（ｅ）第２実施例の埋設部材を示す側面図である。
【図２】（ａ）開口部に第１実施例の埋設部材を配設した状態を示す斜視図、（ｂ）更に開口部用型枠を配設した状態を示す斜視図、（ｃ）型枠パネルを形成する化粧面及びそれを形成する化粧材を示す断面図、（ｄ）下地層（断熱層）及びそれを形成する断熱材の端縁を示す断面図である。
【図３】（ａ）開口部に第１実施例の埋設部材及び開口部用型枠を配設した状態を示す平面図、（ｂ）その開口部の上辺及び下辺を示す側断面図、（ｃ）その開口部の左辺及び右辺を示す断面図、（ｄ）更にコンクリートを打設した後に型枠を取り外した状態を示す平面図、（ｅ）その開口部の上辺及び下辺を示す側断面図である。
【図４】コンクリートを打設した後に型枠を取り外した状態を示す斜視図である。
【発明を実施するための形態】
【００１３】
本発明の埋設部材は、下地層を備える型枠パネルを用いて矩形状の開口部を形成するための部材であり、少なくとも開口部を形成する各辺から離反する方向へ延在する沿設部と、該沿設部から直交状に延在する面部と、該面部の裏面側に形成されてコンクリートに埋設される埋設部を備えることを特徴とする。
【００１４】
前記埋設部材は、前述のように少なくとも沿設部と、埋設部を備える面部とを有するものであって、後述する図示実施例のように一種のみ埋設部材を開口部を形成する各辺にそれぞれ配設してもよいし、対向する二辺を同一にして二種の埋設部材を用いるようにしてもよく、特に限定するものではないが、一種又は二種の部材を用いる方が経済的には望ましい。
特に望ましくは、後述する図示実施例のように壁体の厚み方向に延在する（開口端縁に配置される）規制部を有する。
また、この埋設部材は、開口部を形成する各辺にそれぞれ少なくとも１つ以上配設するピース材でも長さ方向に連続する連続材でもよいが、ピース材として作成して後述する図示実施例のように各辺にそれぞれ２つ以上配することが設置安定性や作業性の観点から好ましい。なお、ピース材として作成する場合には、各辺において所定の位置に埋設部材を配設すればよいし、連続材として作成する場合には、各辺の長さに応じて切断した埋設部材を各辺に用いればよく、型枠パネルを形成する下地層の端縁が規制部に保護されるので、下地層の破損等を生ずることがない。
【００１５】
前記沿設部は、前述のように開口部を形成する各辺から離反する方向へ延在する部位を指し、型枠パネルを形成する下地層の裏面に沿うように配設する。
この沿設部は、開口部から離反する方向へ延在するものであれば、後述する図示実施例に示すように略平坦状に形成してもよいし、特にその形状については限定するものではない。
【００１６】
前記面部は、前記沿設部から直交状に延在する部位を指し、その裏面側には打設するコンクリートに埋設される埋設部を備え、該埋設部は打設されるコンクリートの厚み方向に延在する。
この面部と埋設部は、後述する図示実施例に示すように断面略ハット状に形成してもよいし、それ以外にも適宜にコンクリートとの接触面積を増やすような突出片等を設けて埋設部としてもよい。即ち当該埋設部は、コンクリート打設時にコンクリート内に埋設される部分を指し、コンクリート硬化後に抜け外れない形状で特にその構成を限定するものではない。
【００１７】
また、前述の望ましい態様における前記規制部は、前述のように開口部から壁体の厚み方向に延在する（開口端縁に配置される）部位を指し、開口部の各辺において、型枠パネルを形成する下地層の端縁に沿うように配設する。
この規制部は、開口部から壁体の厚み方向に延在する（開口端縁に配置される）ものであれば、後述する図示実施例に示すように略平坦状に形成して先端に折り曲げ片を設け、該折り曲げ片を下地層の端縁に係止状に取り付けるようにしてもよいし、特にその形状については限定するものではない。
なお、例えば後述する第２実施例のように規制部の先端に略直交状の面部を形成して溝状に形成すると、該溝状に嵌合する厚みの断熱層であれば安定に設置されるが、後述する第１実施例のように規制部を敢えて小さく形成して先端に折り曲げ片を設けておけば、どのような厚みの下地層にも折り曲げ片を打ち込んで安定に取り付けることができる。
【００１８】
このような構成を有する本発明の埋設部材は、開口部の各辺において、型枠パネルを形成する下地層の端縁に沿設部を沿わせる（規制部を備える場合、規制部及び沿設部を係止状に）配設するので、更にその配設後に沿設部及び面部に沿うように容易に開口部用型枠を配設することができる。
なお、これらの沿設部及び面部（更に規制部も）は、開口部に取り付けられる窓枠等の固定箇所となる部位を指し、コンクリートに埋設しない部位と言い換えることもでき、後述する図示実施例〔図１（ｂ）〕に示すようにビス等をより締着し易くするために充填材等を前記面部の裏面側に介在させるようにしてもよい。
【００１９】
また、前記埋設部材を用いる本発明の開口部構造の施工方法は、コンクリートを打設する工程に先立って、開口部を形成する各辺にそれぞれ前記埋設部材を配設するが、配設された埋設部材は、その後に開口部用型枠を配設する際に位置決め材として作用するので、容易に開口部用型枠を配設することができ、更にその後のコンクリート打設工程を容易に行うことができる。
【００２０】
また、前記埋設部材を用いる本発明の開口部構造は、矩形状の開口部を形成する各辺にそれぞれ前記埋設部材を係止状に配設すると共に該埋設部材に開口部用型枠を取り付けたので、容易にコンクリートの打設を行うことができる。
【００２１】
なお、前述の規制部を有する望ましい態様において、前記沿設部は前記規制部から直交状に延在するので、これらの規制部と沿設部とは第１のＬ字状部分を形成し、前記面部は前記沿設部から直交状に延在するので、これらの沿設部と面部とは第２のＬ字状部分を形成する。
そのため、前述の開口部を形成する各辺にこの埋設部材を配設する操作は、開口端縁に第１のＬ字状部分を係止状に沿わせる作業であるから、極めて容易に作業できる。
さらに、配設した埋設部材に開口部用型枠を取り付ける操作は、第２のＬ字状部分に開口部用型枠を係止状に沿わせる作業であるから、極めて容易に作業できる。但し、開口部用型枠に第２のＬ字状部分に係止状に沿う直交状角部を備える場合であり、この観点より開口部用型枠は、直交状角部を有する構成が望ましい。
【００２２】
また、前記開口部用型枠は、前記埋設部材に取り付けられるものであって、型枠パネルの端部に配置されるものである。この開口部用型枠は、打設するコンクリートの圧（打設圧）を負担して開口部形状を保持できる強度の高いものであれば特にその材質や形状等を限定するものではない。例えば断面矩形状（略四角柱状）の木材等を用いてもよいが、後述する図示実施例では、ＦＲＰ製の断面コ字状の連続材を用いた。この開口部用型枠は、コンクリートを打設した後は取り外して繰り返し使用することができる。なお、この開口部用型枠としては、前述のように第２のＬ字状部分に係止状に沿わせるための直交状角部を有する構成が望ましいため、後述する図示実施例のように断面コ字状に形成する態様が好適に選択される。
【００２３】
なお、本発明に用いられる型枠パネルは、前述のように下地層を備えるものであって、断熱性能や防火性能等を有する少なくとも一層からなり、型枠としての強度を得られれば下地材のみで構成されるものでもよく、下地材の外面側に化粧材（外装材）や補強材等を積層した構成でもよい。このような下地層を構成する下地材としては、コンクリートの打設圧で破裂しないものであればどのような素材のものも適用でき、単層からなるものでも異なる特性を有する二種以上の断熱材を積層したものでもよいし、別途補強材等を用いたものでもよい。例えば所定の肉厚を必要とする各種の合成樹脂発泡体でもよいし、石膏ボード、或いはＰＣパネルやＡＬＣパネル、それ以外の防火材や耐火材等の無機材料でもよいし、前記外装材の一面（片面）に予め一体化された構成でもよいし、或いは別体で準備されるものでもよい。また、後述する図示実施例のように複数の性能を有するもの、異なる性能のボード等を併用（積層）したもの、あるいは複数の性能を有する積層板であってもよいでもよい。
【００２４】
また、前記下地材（断熱材）の外面側に積層する化粧材（外装材）としては、化粧面となる面板部と、該面板部の裏面側にコンクリート打設工程において間隔保持部材を連結可能な定着部とを有するものが望ましく、それ以外の構成は特に限定するものではない。
その素材や成形法についても限定するものではなく、各種素材の面材を適用することができ、金属面材でも硬質樹脂板でもよく、或いはアルミ等の押出型材を用いてもよい。その厚みについても限定するものではないが、大凡厚みは１．２〜１．６ｍｍ以上であって、コンクリート打設圧等の多少の応力が作用しても面が歪んだり変形することがない強度を有するものがより望ましい。
後述する図示実施例では、一方には定着部を備え、他方には備えない２種の化粧材を交互に接続した化粧材を用いているが、１種のみでも３種以上でもよい。
なお、各種の問題から特に押出型材からなる化粧材では、概ね幅が２００ｍｍ程度が汎用的（実用的）であり、通常１ｍ近い幅に成形される下地材（断熱材）に対して複数枚の化粧材を添設するものとなる。このように、一体の下地材に対して一枚の壁材を添設してもよいが、前述の成形幅の問題から、一体の下地材に対して複数枚の壁材を添設する手法が採られ易い。そして、図示実施例のように一体の下地材に対し、二種の壁材を交互に複数枚添設する態様もある。
【００２５】
前記化粧材の面板部の裏面側に設ける定着部について簡単に説明すると、セパレータと称される間隔保持部材（棒状部材）の端部を連結できるものであればよく、例えば間隔保持部材をボルト材とした場合には、各種の角ナットや複数の雌螺子部を螺設した板状材を定着材として配置したもの、或いは被重合片を厚肉にしてタップ加工（雌ねじ加工）を施したものでもよい。
特に面板部の裏面側に、側方又は裏面側が開放する空間部を設け、該空間部内に螺子部を有する定着材（各種の角ナット）を取り付けて定着部を形成してもよい。汎用のナットを用いた場合には、ナットの頭部は角形であるため、ボルト材の取付に際して共回り（自転）が防止されるものとなる。なお、この空間部には、定着材と化粧材との接触を防止する緩衝材を介在させることが望ましい。この緩衝材としては、前記下地材と同材であってもよいし、ゴム等の弾性材であってもよい。
【００２６】
コンクリート打設工程において、前記化粧材の定着部に連結する間隔保持部材（棒状部材）は、前述のように定着部がナット等のように雌螺子部を有する場合には、この間隔保持部材（棒状部材）として雄螺子部を備えるボルト材等を用いればよい。
このように化粧材の裏面側に定着部を設け、コンクリート打設空間内に配設される間隔保持部材を、前記定着部に連結した場合には、型枠パネルの裏面側からノロが漏れ出そうとしても、ノロの漏れ出しを防止できるので、コンクリートの打設後に面倒な処理や仕上げ作業を必要とすることがなく、そのまま化粧材（外装材）として用いることができる。
尤も、後述する図示実施例における開口部廻りに用いられる間隔保持部材は、コンクリートの打設空間に位置しないため、前述のノロの問題も生じない。即ち前述のノロの問題が生じるのは、開口部廻りを除く部位においてである。
【００２７】
そして、前記構成の埋設部材と、前記構成の型枠パネルとを組み合わせるに際し、埋設部材を、前記型枠パネルで形成される型枠に設けられた開口部の周縁に、前記埋設部材の規制部及び沿設部（第１のＬ字状部分）を沿わせる。即ち開口部とは、外壁に窓等を形成するための空間を指すが、該空間（開口部）は平面視矩形状であるから、開口部の上下方向及び左右方向にそれぞれ前記型枠パネルを配設して開口部を形成するが、その際、開口部の各辺における開口端縁に前記埋設部材の第１のＬ字状部分を係止状に配設する。
【００２８】
このように本発明の開口部構造は、下地層を備える型枠パネルをコンクリート型枠として用いるものであり、少なくとも規制部と沿設部と面部を備える埋設部材を、前記型枠パネルで形成される型枠に設けられた開口部の各辺における開口端縁に、規制部及び沿設部（第１のＬ字状部分）を係止状に配設する構成であるため、型枠パネルを形成する断熱層（断熱材）の端縁に埋設部材を容易に且つ安定に配設できる。そして、配設した埋設部材の沿設部及び面部（第２のＬ字状部分）に開口部用型枠を容易に且つ安定に取り付けることができる。
【００２９】
また、型枠パネルが化粧材と断熱層からなり、化粧材をそのコンクリート打設工程において間隔保持部材と連結させる場合には、コンクリートの打設圧を化粧材に負担させることができるため、強度の低い断熱材を用いることができる。
【実施例１】
【００３０】
本発明の埋設部材４は、断熱層（下地層）１を備える型枠パネル３を用いて矩形状の開口部５０を形成するための部材であって、少なくとも開口部５０を形成する各辺から直交状に位置して開口部５０から離反する方向へ延在する沿設部４２と、該沿設部４２から直交状に延在してコンクリートに埋設される面部４３を備える構成である。
図１（ａ）〜（ｃ）に示す第１実施例では、開口部５０から壁体の厚み方向に延在する（開口端縁に配置される）規制部４１を備え、該規制部４１を略正方形状に形成し、型枠パネル３を構成する断熱層１の厚みより僅かに小さく形成され、その先端に折り曲げ片４１１が設けられ、面部４３はその左右側縁を略垂直状に折曲して埋設部４３１，４３１とし、更にその下端４３２，４３２が外側へ略垂直状に折曲され、面部４３と併せた断面が略ハット状に成形された構成である。
【００３１】
図１（ａ）の上方に示した埋設部材４は、図２（ａ）に示すように開口部５０の下辺に配設した状態を示し、同図の下方に示した埋設部材４は、図２（ａ）に示すように開口部５０の上辺に配設した状態を示す。また、同図の左方に示した埋設部材４は、図２（ａ）に示すように開口部５０の左辺に配設した状態を示し、同図の右方に示した埋設部材４は、図２（ａ）に示すように開口部５０の右辺に配設した状態を示す。
また、図１（ｂ）に示すように面部４３の裏面側に充填材４Ｂを装着した状態でこの埋設部材４を取り付けるようにしてもよい。
【００３２】
なお、図１（ｅ）に示す第２実施例の埋設部材４'は、第１面板部４１'の先端に略直交状に折り曲げられて第２面板部４２'と略平行状に対向する第４面部４４が形成され、更にその先端に折り曲げ片４４１が設けられている。また、この第２実施例における面部４３'は、面板の裏面側へＨ字状に突出する埋設部４３３を有する構成である。
この第２実施例の埋設部材４'については、前述のように規制部４１'と第４面部４４間に溝部が形成されるので、それに嵌合する厚みの断熱層であれば安定に設置される。
【００３３】
このような構成を有する埋設部材４は、図２（ａ）に示すように開口部５０に配設するが、具体的には開口部５０を形成する各辺（上辺、下辺、左辺、右辺）に対してそれぞれ２箇所ずつに埋設部材４を配設した。
この状態では、それぞれピース状の埋設部材４は、安定に取り付けられていないので、規制部４１の先端の折り曲げ片４１１を断熱層１の端縁に打ち込んで留め付けるようにしてもよいし、例えば両面粘着テープ等を用いて仮止めするようにしてもよい。
【００３４】
また、この開口部５０が形成される型枠パネル３は、断熱層（断熱材）１を備える構成であって、断熱材１の外面側には化粧面（外装面）２が積層される構成である。
図２（ａ），（ｂ）に示す型枠パネル３は、縦長で平面視が略矩形状の断熱材１とその表面に積層した化粧面（外装面）２とからなり、より詳しくは一枚の断熱材１に対して二種の化粧材２Ａ，２Ｂを交互に合計四枚積層した構成である。
なお、開口部５０を設けているため、その左右に隣り合う型枠パネル３，３については一般的な外壁と全く同様の縦寸法を有するが、開口部５０の上下に配設される型枠パネル３，３は短い縦寸法を有するという相違があるものの、図中は全て同一の符号を付して区別をしていない。
【００３５】
前記断熱材１は、図２（ｄ）に示すようにその左右の端縁が、一方が表面側から、他方が裏面側から切り欠かれて相じゃくり状に重合可能であって、重合状に臨む端縁１１を重合部、該重合部１１と重合する端縁１２を被重合部としている。なお、その上下の端縁は、略平坦状に断裁されている。
なお、この断熱材１の開口部５０の右辺においては、図３（ｃ）に示すように左方側に断熱材が存在しない開口部５０が存在するため、断面矩形状の補填材１Ｂを配設して間隔保持部材７の配設を安定に行うようにした。
【００３６】
前記化粧材２は、図２（ｃ）に示すように仕上げ面となる面板部２１の裏面側に空間部２４を備える第１化粧材２Ａと空間部２４を備えない第２化粧材２Ｂとからなり、面板部２１の略中央に略Ｔ字状に表面側へ突出する突条２１１が設けられ、対向する端縁には係合部２２，２５、係合受部２３、２６が設けられるアルミの押出型材である。なお、前記係合部２２，２５の表面側には、前記突条２１１と同形状の突条が設けられている。
そして、前記第１化粧材２Ａの係合部２２と第２化粧材２Ｂの係合受部２６とが係合状に組み付けられ、略コ字状の空間部２４を備える成形部が形成され、第１化粧材２Ａの係合受部２３と第２化粧材２Ｂの係合部２５とが係合状に組み付けられる。なお、前記空間部２４には、点線で示すナット等の定着材７ｂ及び緩衝材７ｃを収容して定着部とした。
【００３７】
また、図２（ａ）のように開口部５０を形成する各辺に前記埋設部材４をそれぞれ２箇所づつ配設した後、図２（ｂ）及び図３（ａ）に示すように開口部用型枠６を配設する。より具体的には開口部５０の上辺及び下辺では、図３（ｂ）に示すように横方向（水平方向）に型枠６Ａ，６Ａを配し、開口部５０の左辺及び右辺では、図３（ｃ）に示すように縦方向（鉛直方向）に型枠６Ｂを配した。
この開口部用型枠６（６Ａ，６Ｂ）は、図１（ｄ）に示すように平面部６１とその両端縁から直角状の脚片部６２，６２とからなる略コ字状の断面形状を有するＦＲＰ製の高強度材であり、前記脚片部６２の先端には肉厚な隆状部６２１が設けられる構成である。
この開口部用型枠６は、前記開口部５０を形成する各辺とほぼ同様の長さを有し、開口部５０の上辺及び下辺に配する型枠を６Ａ、左辺及び右辺に配する型枠を６Ｂとしたが、開口部５０は縦長の矩形状であるから、上辺及び下辺に横方向に配される型枠６Ａより左辺及び右辺に縦方向に配される型枠６Ｂが長く形成されている。
【００３８】
なお、前記開口部用型枠６Ａ，６Ｂ同士の接続は、図２（ｂ）及び図３（ａ）に示すように型枠６Ｂの脚片部６２，６２の側端縁を、型枠６Ａの脚片部６２の先端に突き当てるように取り付けると共に型枠６Ａの端面には被覆材６３を配して溝状部を閉塞している。
また、前記開口部用型枠６Ａ，６Ｂの脚片部６２には通孔６２２が複数箇所に設けられているが、この通孔６２２は、図３（ｂ），（ｃ）より明らかなようにコンクリート打設工程においては間隔保持部材７を挿通させることができ、コンクリート９の打設後にはこの型枠６Ａ，６Ｂ自体を取り除いて繰り返し使用することができるものである。
【００３９】
前記埋設部材４は、開口部５０の各辺において、規制部４１及び沿設部４２を型枠パネル３を形成する断熱層１に係止状に配設でき、更にその配設後に沿設部４２及び面部４３に沿うように容易に開口部用型枠６Ａ，６Ｂを配設することができる。その際、図２（ｂ）に示すように予め開口部用型枠６Ａ，６Ｂには、通孔６２２が複数箇所に形成されているが、当該通孔６２２の位置が埋設部材４の配設位置と重ならないように配設する（＝通孔６２２の形成位置を埋設部材４を配設する位置からずらす）。
【００４０】
なお、図３（ｂ），（ｃ）中の符号５Ｙは型枠、８Ａはフォームタイ（登録商標）、８Ｂは横端太材であって、前述のように開口部用型枠６Ａ，６Ｂを貫通する間隔保持部材７の先端を、前記型枠パネル３の空間部（定着部）２４に至らせ、該定着部２４にて定着材（ナット）７ｂを締め付けて強固に一体化することができる。
そして、コンクリート打設工程においては、一方側（開口部５０側）には前記型枠パネル３を配設すると共に埋設部材４及び開口部用型枠６Ａ，６Ｂをそれぞれ配設し、他方側には前記型枠５Ｙを対向状に配設する。
その際、前記型枠パネル３を形成する断熱材１の開口部５０の右辺では、図３（ｃ）に示すように左方に断熱材が存在しない（開口部５０が存在する）ため、断面矩形状の補填材１Ｂを配設して間隔保持部材７の配設を安定に行うようにした。
その後、複数の間隔保持部材７を、前述のように開口部用型枠６Ａ，６Ｂの通孔６２２を貫通しつつ、その一方側は型枠パネル３を形成する化粧材２Ａに設けた空間部２４の定着材７ｂの位置に取り付け、その他方側は前記型枠５Ｙを貫通させつつその外側にフォームタイ（登録商標）８Ａ及び横端太材８Ｂを取り付けて強固に締め付け固定した状態で打設空間９０にコンクリート９を打設する。
【００４１】
打設したコンクリート９が硬化した後、他方側については、フォームタイ（登録商標）８Ａ、横端太材８Ｂを外し、型枠５Ｙを取り外し、一方側については、前記間隔保持部材７を引き抜くと共に前記開口部用型枠６Ａ，６Ｂを取り外す。型枠パネル３や埋設部材４については、開口部構造にそのまま用い、図４に示す開口部構造を施工できる。なお、取り外した間隔保持部材７や開口部用型枠６（６Ａ，６Ｂ）等は、繰り返し使用することができる。
【００４２】
この開口部構造の施工において、前記埋設部材４はコンクリート９の打設以前には、開口部用型枠６Ａ，６Ｂを容易に設置するための部材であり、コンクリート９の設置後には開口部用型枠６Ａ，６Ｂを取り外すので、この埋設部材４自体が開口部構造における外設部材の取付部位とすることができるものである。
【００４３】
このように前記埋設部材４を用いた開口部構造は、開口部５０の各辺にそれぞれ埋設部材４を係止状に配設すると共に該埋設部材４に開口部用型枠６Ａ，６Ｂを容易に取り付けたので、コンクリート９の打設を容易に行うことができるものである。また、型枠パネル３が、コンクリート打設工程の後にはそのまま外装材（外装パネル）として用いることができるので、コンクリート打設用の開口部構造でもあるし、外壁の開口部構造ということもできる。
外壁の開口部構造としては、形成された開口部５０にサッシＳのような外設部材を取り付けてもよい。
【符号の説明】
【００４４】
１  断熱材（下地材）
２  化粧面
２Ａ，２Ｂ  化粧材
３  型枠パネル
４  （開口部用）埋設部材
４１  規制部
４１１  折り曲げ片
４２  沿設部
４３  面部
４３１，４３２  埋設部
５０  開口部
５Ｙ  型枠
６（６Ａ，６Ｂ）  開口部用型枠
６２２  通孔
７  間隔保持部材
７ｂ  定着材
７ｃ  緩衝材
８Ａ  フォームタイ（登録商標）
８Ｂ  横端太材
９  コンクリート
９０  打設空間
【図１】
2018123597.tif 000003
【図２】
2018123597.tif 000004
【図３】
2018123597.tif 000005
【図４】
2018123597.tif 000006